【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
少なくとも１つのガスの存在に応答してガスセンサ信号を発生するように構成されたガスセンサ、および、前記センサの温度を調整するように構成されたヒータを含んだ感知ユニットと、
少なくとも１つのプロセッサであって、
前記ヒータを制御して、前記センサの温度を第１の温度に第１の時間において調整し、
前記ガスセンサ信号を前記第１の時間において測定することによって、第１の信号値を決定し、
前記ヒータを制御して、前記センサの温度を第２の温度に第２の時間において調整し、前記第１の温度と第２の温度とは異なっており、
前記ガスセンサ信号を前記第２の時間において測定することによって、第２の信号値を決定し、ならびに、
前記ガスセンサが第１の温度にある場合の、前記第１の信号値およびＨ２の濃度に対する前記ガスセンサの抵抗、ならびに
前記ガスセンサが第２の温度にある場合の、前記第２の信号値およびＨ２の濃度に対する前記ガスセンサの抵抗、の少なくとも１つに基づいて、前記少なくとも１つのガスに関する濃度情報を計算するように適合された少なくとも１つのプロセッサと、
を備えているシステム。
【請求項２】
前記ガスセンサは、第１のガスおよび第２のガスの存在に応答して前記ガスセンサ信号を発生するように構成され、
前記少なくとも１つのガスに関する前記濃度情報は、前記第１のガスに関する濃度情報を含み、前記第２のガスに関する濃度情報を実質的に含まない、請求項１に記載のシステム。
【請求項３】
前記第１のガスはＨ２であり、前記第２のガスはＯ２である、請求項２に記載のシステム。
【請求項４】
前記少なくとも１つのプロセッサは、
前記ヒータを制御して、前記センサの温度を第３の温度に第３の時間において調整し、
前記ガスセンサ信号を前記第３の時間において測定することによって、第３の信号値を決定し、ならびに、
前記第１の温度における前記第１の信号値および前記ガスセンサの第１の較正関係、
前記第２の温度における前記第２の信号値および前記ガスセンサの第２の較正関係、ならびに
前記第３の温度における前記第３の信号値および前記ガスセンサの第３の較正関係、
の少なくとも１つに基づいて、前記少なくとも１つのガスに関する濃度情報を計算するようにさらに適合されている、請求項１に記載のシステム。
【請求項５】
前記少なくとも１つのガスの存在に応答して追加のガスセンサ信号を発生するように構成されたガスセンサ、および、
前記追加のセンサの温度を調整するように構成されたヒータ、
を含んだ追加の感知ユニットをさらに備え、
前記少なくとも１つのプロセッサは、
前記追加の感知ユニットの前記ヒータを制御して、前記追加のガスセンサの温度を追加の温度に、前記第１の時間と前記第２の時間とにおいて調整し、
前記追加のガスセンサ信号を定期的に測定することによって、一連の様々な信号値を決定し、ならびに、
前記第１の信号値、前記第２の信号値、および前記様々な信号値の少なくとも１つに基づいて、前記少なくとも１つのガスに関する濃度情報を決定するように適合されている、請求項１に記載のシステム。
【請求項６】
前記少なくとも１つのプロセッサは、前記様々な信号値を使用して前記ガスセンサを較正するように適合されている、請求項５に記載のシステム。
【請求項７】
前記追加の温度および前記第１の温度は実質的に同じである、請求項５に記載のシステム。
【請求項８】
前記第１の信号値は前記第１の時間における前記ガスセンサ信号の変化の速さを含み、
前記第２の信号値は前記第２の時間における前記ガスセンサ信号の変化の速さを含んでいる、請求項１に記載のシステム。
【請求項９】
少なくとも１つのガスにガスセンサを曝すステップと、
ガスセンサの温度を、第１の温度に第１の時間において調整するステップと、
前記ガスセンサからのガスセンサ信号を前記第１の時間において測定することによって、第１の信号値を決定するステップと、
前記ガスセンサの温度を、第２の温度に第２の時間において調整するステップと、
前記ガスセンサ信号を前記第２の時間において測定することによって、第２の信号値を決定するステップと、
前記ガスセンサが第１の温度にある場合の、前記第１の信号値およびＨ２の濃度に対する前記ガスセンサの抵抗、ならびに
前記ガスセンサが第２の温度にある場合の、前記第２の信号値およびＨ２の濃度に対する前記ガスセンサの抵抗、の少なくとも１つに基づいて、前記少なくとも１つのガスに関する濃度情報を計算するステップと、
を含み、前記第１の温度は前記第２の温度と異なっている方法。
【請求項１０】
前記ガスセンサは、第１のガスおよび第２のガスの存在に応答して前記ガスセンサ信号を発生するように構成され、
前記少なくとも１つのガスに関する前記濃度情報は、前記第１のガスに関する濃度情報を含み、前記第２のガスに関する濃度情報を実質的に含まない、請求項９に記載の方法。
【請求項１１】
前記第１のガスはＨ２であり、前記第２のガスはＯ２である、請求項１０に記載の方法。
【請求項１２】
第３の時間において、前記ガスセンサの温度を第３の温度に調整するステップと、
前記ガスセンサ信号を前記第３の時間において測定することによって、第３の信号値を決定するステップと、を含み、
前記少なくとも１つのガスに関する濃度情報を計算するステップは、
前記第１の温度における前記第１の信号値および前記ガスセンサの第１の較正関係、
前記第２の温度における前記第２の信号値および前記ガスセンサの第２の較正関係、ならびに
前記第３の温度における前記第３の信号値および前記ガスセンサの第３の較正関係、
の少なくとも１つに基づいて、前記少なくとも１つのガスに関する濃度情報を計算するステップをさらに含んでいる、請求項９に記載の方法。
【請求項１３】
追加のガスセンサに関連したヒータを制御して、前記追加のガスセンサの温度を追加の温度に前記第１の時間および前記第２の時間において調整するステップと、
追加の感知ユニットのガスセンサの追加のガスセンサ信号を定期的に測定することによって、一連の様々な信号値を決定するステップと、
前記第１の信号値、前記第２の信号値、および前記様々な信号値の少なくとも１つに基づいて、前記少なくとも１つのガスに関する濃度情報を決定するステップと、
を含んでいる、請求項９に記載の方法。
【請求項１４】
前記様々な信号値を使用して前記ガスセンサを較正するステップをさらに含んでいる、請求項１３に記載の方法。
【請求項１５】
前記追加の温度および前記第１の温度は実質的に同じである、請求項１４に記載の方法。
【請求項１６】
前記第１の信号値は前記第１の時間における前記ガスセンサ信号の変化の速さを含み、
前記第２の信号値は前記第２の時間における前記ガスセンサ信号の変化の速さを含んでいる、請求項９に記載の方法。
【請求項１７】
第１の時間において目標環境に関する第１の状態を生成するステップであって、前記目標環境は少なくとも１つのガスの存在を含んでいる、第１の状態を生成するステップと、
前記目標環境内のガスセンサの信号を前記第１の時間において測定して、信号の第１の値を決定するステップと、
第２の時間において前記目標環境に関する第２の状態を生成するステップと、
前記ガスセンサの前記信号を前記第２の時間において測定して、前記信号の第２の値を決定するステップと、
前記信号の前記第１の値および前記第２の値の少なくとも１つに基づいて、前記目標環境における前記少なくとも１つのガスに関する濃度情報を計算するステップと、
を含み、
前記第１の状態は前記第２の状態と異なっており、
前記第１の状態は前記目標環境の第１の圧力、もしくは前記ガスセンサの第１のバイアス電圧の少なくとも１つを含み、および
前記第２の状態は前記目標環境の第２の圧力、もしくは前記ガスセンサの第２のバイアス電圧の少なくとも１つを含んでいる方法。
【請求項１８】
前記第１の状態は、前記目標環境の第１の圧力を含み、
前記第２の状態は、前記目標環境の第２の圧力を含む、請求項１７に記載の方法。
【請求項１９】
前記第１の状態は、前記ガスセンサの第１のバイアス電圧を含み、
前記第２の状態は、前記ガスセンサの第２のバイアス電圧を含んでいる、請求項１７に記載の方法。
【請求項２０】
前記信号の前記第１の値および前記信号の前記第２の値の少なくとも１つに基づいて、前記目標環境内の少なくとも１つのガスに関する濃度情報を計算するステップは、
前記信号の前記第１の値と、前記信号の前記第２の値と、前記第１の状態および前記第２の状態における前記ガスセンサの複数の較正関係と、の少なくとも１つに基づいて、前記目標環境内の前記少なくとも１つのガスに関する濃度情報を計算するステップをさらに含む、請求項１７に記載の方法。
【請求項２１】
第１のガスおよび第２のガスの存在に応答して前記ガスセンサの信号を発生するステップをさらに含み、
前記少なくとも１つのガスに関する前記濃度情報は、前記第１のガスに関する濃度情報を含み、前記第２のガスに関する濃度情報を実質的に含まない、請求項１７に記載の方法。
【請求項２２】
前記第１のガスはＨ２であり、前記第２のガスはＯ２である、請求項２１に記載の方法。
【請求項２３】
第３の時間において、前記目標環境に関する第３の状態を生成するステップと、
前記ガスセンサの前記信号を前記第３の時間において測定し、前記信号の第３の値を決定するステップと、
前記信号の前記第１の値、前記信号の前記第２の値、および前記信号の前記第３の値の少なくとも１つに基づいて、前記目標環境内の少なくとも１つのガスに関する濃度情報を計算するステップと、
をさらに含んでいる、請求項１７に記載の方法。
【請求項２４】
前記信号の前記第１の値は、前記第１の時間における前記ガスセンサの信号の変化の速さを含み、
前記信号の前記第２の値は、前記第２の時間における前記ガスセンサの信号の変化の速さを含んでいる、請求項１７に記載の方法。
【手続補正２】
【補正対象書類名】図面
【補正対象項目名】図２
【補正方法】変更
【補正の内容】
【図２】
2014533354.tif 000001
【手続補正３】
【補正対象書類名】図面
【補正対象項目名】図３Ａ
【補正方法】変更
【補正の内容】
【図３Ａ】
2014533354.tif 000002
【手続補正４】
【補正対象書類名】図面
【補正対象項目名】図３Ｂ
【補正方法】変更
【補正の内容】
【図３Ｂ】
2014533354.tif 000003